(57)【特許請求の範囲】
【請求項１】
金型の押出し板に取付けられるシリンダユニットと、このシリンダユニットの作動で前記押出し板の移動方向に沿って進退動するエジェクタピンを備えた金型の成形品押出し装置であって、前記シリンダユニットのロッド先端部にはジョイントがネジ１１によって直接前記ロッド先端部の結合ネジ部を、この結合ネジ部の軸方向に対して垂直に押圧することで回転不能に取付けられ、前記ジョイントにはエジェクタピンの大径部を囲む略環状の溝が形成され、この溝に前記大径部がエジェクタピンの軸方向に対して垂直にスライド嵌合し、このスライド嵌合した状態の前記大径部の周縁で前記溝から外れた切欠き部に沿ってネジ１２をエジェクタピンの軸方向から前記ジョイントに係合せしめてなり、エジェクタピンを交換する際には、前記押出し板を外すことなく、前記ネジ１２を外してエジェクタピンの大径部を前記溝から引き抜くことを特徴とする金型の成形品押出し装置。
【発明の詳細な説明】
【技術分野】
【０００１】
本発明は、例えば射出成形金型で成形した成形品を取り出すための押出し装置に関する。
【背景技術】
【０００２】
従来、例えば射出成形金型で射出成形した成形品を取り出すための押出し装置として、図４に示すような装置が知られている。
この装置は、ロッド棒５１の突出し操作によってストロークＬ1分前進する押出しＡ板５２及び押出しＢ板５３の２枚の押出し板と、押出しＡ板５２に取付けられ且つ先端部が可動型５７を通してキャビティ面に臨んで成形品Ｗに当接する押出しピン５４と、押出しＢ板５３に六角ボルト５５で取付けられるエアシリンダユニット５６を備えており、このエアシリンダユニット５６のピストン５６ｐから延出するピン５６ｑの先端が可動型５７を通してキャビティ面に臨んで成形品Ｗに当接している。
【０００３】
そしてこのエアシリンダユニット５６のシリンダ５６ｓ内にエア導入孔ａからエアが導入されると、ピストン５６ｐがストロークＬ2分前進し、成形品Ｗを確実に離型させるようにしている。
また、ピン５６ｑの回転を防止するため、可動型５７のキャビティ面側に入れ駒５８を設置しており、ピン５６ｑ先端側の外周面の一部に形成される平坦な係合面に係合させている。
【発明の開示】
【発明が解決しようとする課題】
【０００４】
ところが上記のような押出し装置の場合、エアシリンダユニット５６が金型専用の製作部品であるため、製作コストが高くなり、またピン５６ｑが破損したような時は、ピストン５６ｐも含んで交換しなければならないため、製作工数と製作コストがかかるという問題がある。
また、シリンダ５６ｓが押出しＢ板５３に固定され且つピン５６ｑが可動型５７を挿通しているため、エアシリンダユニット５６を取外そうとすると、可動型全体を解体しなければならず、メインテナンス性が良くない。
更に、ピン５６ｑの回り止めの入れ駒５８をキャビティに面する部分に設けているため、ピン５６ｑ先端の係合面と入れ駒５８の間にバリが生じたり、またはカジリを生じやすい。
【０００５】
本発明は上記問題点に鑑みなされたものであり、エアシリンダユニットを安価に構成すると同時に、ピンが破損したような時でも簡単に処置することが出来、またエアシリンダユニットを取外すような際でも手間がかからず、更に回り止めによってバリとかカジリが生じることのない成形品押出し装置の提供を目的とする。
【課題を解決するための手段】
【０００６】
上記目的を達成するため本発明は、請求項１において、金型の押出し板に取付けられるシリンダユニットと、このシリンダユニットの作動で前記押出し板の移動方向に沿って進退動するエジェクタピンを備えた金型の成形品押出し装置であって、前記シリンダユニットのロッド先端部にはジョイントがネジ１１によって直接前記ロッド先端部の結合ネジ部を、この結合ネジ部の軸方向に対して垂直に押圧することで回転不能に取付けられ、前記ジョイントにはエジェクタピンの大径部を囲む略環状の溝が形成され、この溝に前記大径部がエジェクタピンの軸方向に対して垂直にスライド嵌合し、このスライド嵌合した状態の前記大径部の周縁で前記溝から外れた切欠き部にネジ１２をエジェクタピンの軸方向に係合せしめてなり、エジェクタピンを交換する際には、前記押出し板を外すことなく、前記ネジ１２を外してエジェクタピンの大径部を前記溝から引き抜くようにした。
【０００７】
このようにシリンダユニットとエジェクタピンの基端部をジョイントで連結すれば、例えばシリンダユニットとして一般的なタイプの市販のものでも使用することが出来、またエジェクタピンが破損した時でも、ジョイントを外せば市販のエジェクタピンを使用することが可能となる。
更に、ジョイントを外すことで、シリンダユニットの取外しが容易となり、メインテナンス性が向上する。
【発明の効果】
【０００８】
以上のように本発明に係る金型の成形品押出し装置は、請求項１のように、金型の押出し板に取付けられるシリンダユニットと、エジェクタピンの基端部をジョイントによって連結するようにしたため、例えばシリンダユニットとして市販タイプのものでも使用することが出来、またエジェクタピンが破損した時でも、ジョイントを外せば市販のエジェクタピンを使用することが可能となる。
更に、ジョイントを外すことで、シリンダユニットの取外しが容易となり、メインテナンス性が向上する。
【発明を実施するための最良の形態】
【０００９】
本発明の実施の形態について添付した図面に基づき説明する。
ここで図１は本発明に係る金型の成形品押出し装置の構成例図、図２はジョイントの連結構造と回り止め機構の説明図、図３は図２のＡ矢視図である。
【００１０】
本発明に係る金型の成形品押出し装置は、図１に示すような射出成形金型で成形した成形品Ｗを取り出すための装置として構成され、不図示の押出しロッドによって前進可能な押出しＡ板１及び押出しＢ板２と、押出しＡ板１に取付板３を介して結合されるエアシリンダユニット４と、このエアシリンダユニット４のシリンダロッド４ｑにジョイント５を介して連結される第１エジェクタピン６を備えており、この第１エジェクタピン６の先端部は可動型７を貫いてキャビティ面に臨み成形品Ｗに当接している。
【００１１】
また、金型取付板８の所定箇所には、鋳抜きピン９の基端部が結合され、この鋳抜きピン９の周囲には、筒状の第２エジェクタピン１０が設けられて基端部が押出しＡ板１に固定され、先端がキャビティ面に臨んでいる。
【００１２】
ところで、前記第１エジェクタピン６は、ジョイント５とエアシリンダユニット４に設けた回り止め機構によって回り止めが図られている。
すなわち、エアシリンダユニット４のシリンダロッド４ｑとシリンダ４ｓのロッドガイド孔との間には、図示しないがシリンダロッド４ｑを回転不能にするための形状が付与され、またシリンダロッド４ｑとジョイント５の結合は、図２に示すように、回り止めネジ１１によって直接シリンダロッド４ｑの結合ネジ部を押圧することで相対回転不能に連結されている。
またジョイント５と第１エジェクタピン６の結合も、第１エジェクタピン６の基端側の大径部６ａをジョイント５の溝にスライド嵌合させ、大径部６ａの周縁の切欠き部に回り止めネジ１２を係合させることで相対回転不能に連結されている。
【００１３】
このため、回転不能なシリンダロッド４ｑにジョイント５を介して連結する第１エジェクタピン６も、軸回りに回転不能に連結されることになり、この際、回り止め機構はキャビティ側に影響を与えない。
【００１４】
尚、本実施形態では回り止め機構をエアシリンダユニット４とジョイント５の両方に設けているが、例えばシリンダロッド４ｑとジョイント５を相対回転可能に連結し、ジョイント５自体を何等かの手段で回転不能にすることで、ジョイント５だけによって回り止め機構を構成するようにしても良い。
【００１５】
以上のように構成した成形品押出し装置で成形品Ｗを押出す際、押出しＡ板１と押出しＢ板２を前進させて第１エジェクタピン６と第２エジェクタピン１０を所定ストローク突出させた後、エアシリンダユット４を作動させて第１エジェクタピン６を更に所定ストローク突出させて成形品Ｗを確実に離型させるよう図る。
【００１６】
このような成形品押出し装置において、例えば第１エジェクタピン６が破損したような時は、ジョイント５の結合部を外すだけで容易に対応することが出来る。
すなわち、実施形態では図２に示す回り止めネジ１２を外して第１エジェクタピン６の基端側の大径部６ａをスライドさせて引抜き、新しい第１エジェクタピン６に交換した後、回り止めネジ１２を捩じ込めば処置が完了する。
【００１７】
また、保守整備等においてエアシリンダユニット４を取外す時も、ジョイント５で第１エジェクタピン６との連結を解放した後、シリンダ４ｓを取外せば、作業容易である。
【００１８】
また、エアシリンダユニット４、及び第１エジェクタピン６は一般的なタイプの市販のものを使用することが出来るため安価に構成出来る。
【００１９】
尚、本発明は以上のような実施形態に限定されるものではない。本発明の特許請求の範囲に記載した事項と実質的に同一の構成を有し、同一の作用効果を奏するものは本発明の技術的範囲に属する。
例えば金型は射出成形型以外であっても良く、またジョイントの回り止め機構の構成等は任意である。
【図面の簡単な説明】
【００２０】
【図１】本発明に係る金型の成形品押出し装置の構成例図
【図２】ジョイントの連結構造と回り止め機構の説明図
【図３】図２のＡ矢視図
【図４】従来の金型の成形品押出し装置の構成例図
【符号の説明】
【００２１】
１…押出しＡ板、２…押出しＢ板、４…エアシリンダユニット、５…ジョイント、６…第１エジェクタピン、１１…回り止めネジ、１２…回り止めネジ、Ｗ…成形品。
【図１】
0004450823.tif 000002
【図２】
0004450823.tif 000003
【図３】
0004450823.tif 000004
【図４】
0004450823.tif 000005